(57)【要約】【課題】１台の携帯端末装置に複数のＳＩＭカードを装着し、責任分解点の明確化、コールバック機能への対応および複雑な網機能による処理や煩雑な他事業者への変更手続き低減を実現でき、制御上、２台の電話機の存在と全く変わらなくして運用できるＳＩＭカード対応携帯端末装置を提供する。【解決手段】携帯端末装置に２枚以上のＳＩＭカード２を収容するＳＩＭカード対応携帯端末装置１Ａにおいて、端末装置本体３の裏面側に、電源用電池５を収納する凹所６ａからなる電池保持部６を設け、その電池保持部６の底面部６ｂに、それぞれのＳＩＭカード２を該底面部６ｂに沿う同一平面内に並べて収容する２つの窪み７を設け、各ＳＩＭカード２を各窪み７にホルダ部材１０に装着して収容した状態で、電池保持部６の凹所６ａに、各ＳＩＭカード２を覆って電源用電池５を収納する。【選択図】図１
2007266693.tif 000002
【特許請求の範囲】
【請求項１】
携帯端末装置に２枚以上のＳＩＭカードを収容するＳＩＭカード対応携帯端末装置。
【請求項２】
端末装置本体に電源用電池を収納する凹所からなる電池保持部を設け、
電池保持部の底面部に、それぞれのＳＩＭカードを該底面部に沿う同一平面内に並べて収容する２以上の窪みを設け、
各ＳＩＭカードを各窪みに収容した状態で、電池保持部の凹所に、前記各ＳＩＭカードを覆って電源用電池を収納するようにしたことを特徴とする請求項１に記載のＳＩＭカード対応携帯端末装置。
【請求項３】
窪みの底部にＳＩＭカード信号伝達用の電極を設け、
窪みの一隅に設けたヒンジを中心に揺動することによって該窪みに出入りするホルダ部材であって、
そのホルダ部材の幅方向両側にＳＩＭカードをその幅方向両端から挟持するガイド構造を形成し、
このガイド構造によってＳＩＭカードを挟持した状態で前記ホルダ部材を窪み内に入れ、かつ、前記電源用電池を電池保持部の凹所内に収納した際に、前記電池保持部の底面部に向かう電源用電池の対向面によって押圧してＳＩＭカードを前記電極に接触させるようにしたことを特徴とする請求項１に記載のＳＩＭカード対応携帯端末装置。
【請求項４】
各窪みの底部にＳＩＭカード信号伝達用の電極を設け、
各窪みの幅方向両側に、ＳＩＭカードをその幅方向両端から挟持しかつ窪み底部方向に押圧するガイド構造を形成し、
各窪みのガイド構造の入り側部を斜面にしかつ、ＳＩＭカード係止用の弁状の弾性片構造を形成し、
前記窪みの斜面に沿わせてＳＩＭカードを前記ガイド構造に挿入して、ＳＩＭカードを窪み内に入れてガイド構造に挟持させ、ガイド構造によってＳＩＭカードを窪み底部方向に押圧することによってＳＩＭカードを前記電極に接触させるようにしたことを特徴とする請求項１に記載のＳＩＭカード対応携帯端末装置。
【請求項５】
電池保持部の底面部の窪みの他に、電池保持部に収納する電源用電池と同一平面にＳＩＭカードを収容可能な少なくとも一つの第２の窪みを設け、上記電源用電池の平面積が収容しようとする２枚以上のＳＩＭカードの総平面積よりも大きくない場合には、少なくとも一つのＳＩＭカードを第２の窪みに配置して電池保持部に収納する電源用電池と同一平面内にＳＩＭカードを収納するようにしたことを特徴とする請求項１に記載のＳＩＭカード対応携帯端末装置。
【発明の詳細な説明】
【技術分野】
【０００１】
本発明は複数のＳＩＭ（Subscriber Information Module）カードに対応できる携帯電話機などのＳＩＭカード対応携帯端末装置に関する。
【背景技術】
【０００２】
従来、１台の電話に複数の番号を登録する複数電話サービスとして、以下の種々の例がある。
【０００３】
第１の例としては、米国ＡＴ＆Ｔ社（米国電信電話会社）とＭｏｔｏｒｏｌａ（モトローラ）社開発のアナログ携帯電話方式のＡＭＰＳ（Advanced Mobile Phone Service）の「ＭｕｌｔｉＮＵＭ」サービスがあった。
【０００４】
このサービスは、米国内の地域ごとに割拠するローカルのオペレータがその地域の独自の加入契約を施行しているため、米国内を出張などで移動するビジネスマンが複数の電話機を持たなくても、携帯電話機を利用できるように実施されたサービスである。
【０００５】
具体的には、携帯電話機に複数の無線ＩＤを焼き込み、あたかも一台の電話機を複数の端末であるかのように制御するものである。
【０００６】
第２の例としては、現在、日本において株式会社エヌ・ティ・ティ・ドコモが行っている「ナンバープラス」サービスがある。このサービスは、基本の番号の他、副番号を端末装置に持たせるが、副番号からは発信できないようになっている。
【０００７】
第３の例としては、英国やオランダ等の多くの国において、副番号で発着信する際ＩＮ方式またはルーティング方式（転送電話）を用いたサービスが行われている。例えば、総務省において、「移動体番号ポータビリティ（Mobile Number Portability）に関する検討」が報告されている（非特許文献１）。この報告では、移動体番号ポータビリティ（携帯電話事業者を変更しても番号が変わらない仕組みのこと：Mobile Number Portability（ＭＮＰ））を実現するための方式には、転送方式、ＩＮ（データベース）方式、及び、リダイレクション方式が考えられるとされている。
【０００８】
上記と同様の方式で上記株式会社エヌ・ティ・ティ・ドコモが行っているＦＯＭＡ(登録商標)「マルチナンバー」サービスが提供されるようになった。これは、着信時に、自分が利用しているどの番号に着信したかが分かるように、画面に相手がかけた自分の電話番号が表示される。「マルチナンバー」サービスの点は、同社からインターネットにおいて発表されている（非特許文献２）。また、この点に関して、インプレス株式会社のケータイｗａｔｃｈのホームページにおいて、「ＦＯＭＡに２つの電話番号を追加できるマルチナンバー」のニュースで紹介している（非特許文献３）。
【０００９】
また、かなり古くからＧＳＭ方式の電話において、ＳＩＭカードが加入者の契約ＩＤとして使われており、一つのＳＩＭカードは、一つのＩＤを持ち加入契約と一対一の関係になっている。周知のように、ＳＩＭカードとは、Subscriber Identify Module（加入者識別モジュール）の略で、ＧＳＭ(Global System for Mobile Communications)サービスに加入すると発行され、ＧＳＭ方式の電話機にセットして使用する。ＳＩＭカードには加入者や電話会社の情報が記録されており、ＧＳＭ方式の電話機はこのＳＩＭカードをセットして初めて使用できるという仕組みになっている。
【００１０】
さらに、端末装置に一枚のＳＩＭカードのみを収容し、端末装置もカードと一体で特定されているのが通常の方法である。
【００１１】
なお、携帯電話に関する技術であって、複数の電話番号を使用可能にする技術が特開平１０-２９０２９４公報（特許文献１）や特開２００３−１８９０１３号公報（特許文献２）によって開示される。
【００１２】
また、携帯電話に関して加入者識別情報を記憶するＩＣカードの接続器（コネクタ）に関する技術が特開２０００−４８８７９号公報（特許文献３）に開示されている。
【００１３】
また、端末装置に１つの符号分割多元接続（ＣＤＭＡ）モジュールと１つの時分割多元接続（ＴＤＭＡ）モジュールとを重ねて搭載する技術（適合可能な無線電話装置）が特開平８−７９３４４号公報（特許文献４）に開示されている。
【００１４】
しかしながら、前記第１の例においては、電話機個体に副番号を焼き付けて、複数のオペレータが管理の権責を有することになるので、故障やソフトバグによる料金徴収に関わるトラブルがあったときには、切り分けの責任分解点が不明確で解決が困難であった（第１の問題点）。
【００１５】
また、前記第２の例においては、副番号では発信できないので、着信があって応答できなかったときに、その場でコールバック（送信先への返信）することができない（第２の問題点）。
【００１６】
また、第３の例においては、ＩＮあるいはルーティング方式では、付加番号に着信があったとき、その番号が属する携帯電話事業者の電話網機能によって付加番号への着信を主番号電話機に着信させるように制御する必要があり、処理が複雑となる。
【００１７】
さらに、付加番号がＩＮあるいはルーティング方式でサービスされることから、他の事業者に契約変更するときや他の移動機のハードウェアへの買い換え時には、煩雑な事務手続きが必要になる（非特許文献３の「26543html」参照）（第３の問題点）。
【００１８】
従来のＧＳＭで使用されているＳＩＭカードは、電話機ハードウェアと契約や料金に関わるＳＩＭカードが明確に切り分けているので、第１の例のようなトラブルを避けられるが、１つの番号しかあつかえない不便さがある（第４の問題点）。
【特許文献１】特開平１０−２９０２９４号
【特許文献２】特開２００３−１８９０１３号
【特許文献３】特開２０００−４８８７９号
【特許文献４】特開平０８−７９３４４号
【非特許文献１】http://www.soumu.go.jp/s-news/2003/pdf/030918#3#sa1.pdf  総務省で平成１４年１月にまとめられた「情報通信新時代のビジネスモデルと競争環境整備の在り方に関する研究会」の「ゲートウェイのオープン化による」ＳＰ接続の円滑化など提言を受けて開催された「携帯電話のポータビリティに関する勉強会」の報告書（２００３年９月１８日付け）
【非特許文献２】http://www.nttdocomo.co.jp/info/news#release/page/20051019#2.html  株式会社エヌ・ティ・ティ・ドコモがインターネット上で発行した「マルチナンバーの概要（予定）」報道発表資料（２００５年１０月１９日付け）
【非特許文献３】http://k-tai.impress.co.jp/cda/article/news#toppage/26171.html  http://k-tai.impress.co.jp/cda/article/news#toppage/26543.html  株式会社Ｉｍｐｒｅｓｓ  ＷａｔｃｈのケータイＷａｔｃｈ編集部がインターネット上で発行したケータイＷａｔｃｈニュース２００５年１０月１９日付け「ＦＯＭＡに２つの電話番号を追加できる『マルチナンバー』」記事
【発明の開示】
【発明が解決しようとする課題】
【００１９】
本発明は、上記従来の問題点を解消するために成されたものであって、１台の携帯端末装置に複数のＳＩＭカードを装着して、責任分解点の明確化、コールバック機能への対応および複雑な網機能による処理や煩雑な他事業者への変更手続き低減を実現することができると共に、事業者から見た制御上、２台の電話機が存在することと全く変わらないので運用は従来のシステムを変更せずに扱うことができるＳＩＭカード対応携帯端末装置を提供しようとするものである。
【課題を解決するための手段】
【００２０】
本発明はＳＩＭカード対応携帯端末装置に係り、携帯端末装置に２枚以上のＳＩＭカードを収容するＳＩＭカード対応携帯端末装置であって、しかもその目的を達成する際に、電話機端末の厚み等外観を著しく悪化することをさける構造を有する。
すなわち、端末装置本体に電源用電池を収納する凹所からなる電池保持部を設け、電池保持部の底面部に、それぞれのＳＩＭカードを該底面部に沿う同一平面内に並べて収容する２以上の窪みを設け、各ＳＩＭカードを各窪みに収容した状態で、電池保持部の凹所に、前記各ＳＩＭカードを覆って電源用電池を収納するようにしたことを特徴とするものである。
【００２１】
本発明においては、窪みの底部にＳＩＭカード信号伝達用の電極を設け、窪みの一隅に設けたヒンジを中心に揺動することによって該窪みに出入りするホルダ部材であって、そのホルダ部材の幅方向両側にＳＩＭカードをその幅方向両端から挟持するガイド構造を形成し、このガイド構造によってＳＩＭカードを挟持した状態で前記ホルダ部材を窪み内に入れ、かつ、前記電源用電池を電池保持部の凹所内に収納した際に、前記電池保持部の底面部に向かう電源用電池の対向面によって押圧してＳＩＭカードを前記電極に接触させるようにしたものにできる。
【００２２】
また、本発明においては、各窪みの底部にＳＩＭカード信号伝達用の電極を設け、各窪みの幅方向両側に、ＳＩＭカードをその幅方向両端から挟持しかつ窪み底部方向に押圧するガイド構造を形成し、各窪みのガイド構造の入り側部を斜面にしかつ、ＳＩＭカード係止用の弁状の弾性片構造を形成し、前記窪みの斜面に沿わせてＳＩＭカードを前記ガイド構造に挿入して、ＳＩＭカードを窪み内に入れてガイド構造に挟持させ、ガイド構造によってＳＩＭカードを窪み底部方向に押圧することによってＳＩＭカードを前記電極に接触させるようにしたものにできる。
また、本発明においては、電池保持部の底面部の窪みの他に、電池保持部に収納する電源用電池と同一平面にＳＩＭカードを収容可能な少なくとも一つの第２の窪みを設け、上記電源用電池の平面積が収容しようとする２枚以上のＳＩＭカードの総平面積よりも大きくない場合には、少なくとも一つのＳＩＭカードを第２の窪みに配置して電池保持部に収納する電源用電池と同一平面内にＳＩＭカードを収納するようにしたものにできる。
【発明の効果】
【００２３】
本発明のＳＩＭカード対応携帯端末装置によれば、電池保持部の底面部に、それぞれのＳＩＭカードを該底面部に沿う同一平面内に並べて収容する２以上の窪みを設け、各ＳＩＭカードを各窪みに収容した状態で、電池保持部の凹所に、前記各ＳＩＭカードを覆って電源用電池を収納するようにしたので、各窪みに２枚以上のＳＩＭカードを同一平面内に並べて配置して、そのＳＩＭカード上に電源用電池を収容できる。
したがって、携帯端末装置の積極的な薄型化を図ることが実現することができる。
【００２４】
この本発明の構造は、現行の携帯電話機等の１枚のみのＳＩＭカードを実装する携帯端末装置に採用して２枚以上実装できるようにするのも有効な構造となる。
【００２５】
本発明によれば、ユーザ（使用者）は、複数のＳＩＭカードを１台の携帯端末装置に装着して複数番号を使用できるようになるので、ビジネスとプライベートなど複数の番号毎に携帯端末装置を持ち歩く必要が無くなり、利便性が向上する。
【００２６】
２以上のＳＩＭカードの番号毎に課金等を独立に管理でき、責任分解点を明確でき、混同することなく管理できる。
【００２７】
番号ポータビリティによりビジネス用電話機等の携帯端末装置に、他の事業者に所属していたプライベートな番号を追加移動できるので、２番号に対して移動機の使用者が同一の場合には、割引制度を適用することにより、他の事業者に属している顧客をビジネス用途の番号を契約している事業者が獲得することも可能となる。
【００２８】
仮に２番号が異なる事業者に所属する番号であっても、使用する携帯端末装置のハードウェアにかかわらずに独立に管理できるので、論理的に２台の電話機であるかのように使用できる。
【００２９】
また、事業者による顧客のへの請求手続きにおいて請求書の複数番号一本化なども可能となるため、通信料金の低価格化の可能性も生じる。
【００３０】
なお、本発明において、ＳＩＭカードの挿入構造として、窪みの一隅に設けたヒンジによって該窪み内に出入りするホルダ部材にガイド構造を設けてこのガイド構造により、ＳＩＭカードを挟持し、ＳＩＭカードの挟持状態でホルダ部材を窪み内に入れて、電源用電池を電池保持部の凹所内への収納することによって、ＳＩＭカードを電極に接触させる際の接触圧を保ちながらＳＩＭカードを保持できる。
【００３１】
また、各窪みの幅方向両側のガイド構造に挿入して、ガイド構造によってＳＩＭカードをその幅方向両端から挟持しかつ窪み底部方向に押圧する。この場合、各窪みのガイド構造の入り側部を斜面に沿って、弁状の弾性片構造を押し下げながら挿入し挿入後に弾性片構造が復帰してＳＩＭカードを係止するので、窪みに装着したＳＩＭカードを弾性片構造によって装着状態に確実に固定できる。また、ガイド構造によってＳＩＭカードを窪み底部方向に押圧することによってＳＩＭカードを前記電極に接触させるので、ＳＩＭカードに確実に信号が伝達するという優れた効果を奏し得る。
【発明を実施するための最良の形態】
【００３２】
以下、本発明の実施の形態を、添付図面を参照して説明する。
【００３３】
図１〜図３は本発明のＳＩＭカード対応携帯端末装置を携帯電話機に実施した形態の第１の例（以下「実施形態１」という）の説明図である。
【００３４】
図１（ａ）は実施形態１に係る携帯端末装置１Ａの外観説明図、（ｂ）は携帯端末装置１Ａの裏面側のＳＩＭカード２および電源用電池５の装着状態説明図、図２は電池保持部６の凹所６ａの窪みに設けたホルダ部材１０にＳＩＭカード２を挟持させる状態の説明図、図３は電池保持部６の底面部６ｂに向かう電源用電池の対向面によって押圧してＳＩＭカード２を前記電極に接触させる状態の説明図である。図中、同一の符号を付した部分は同一物を表わす。
【００３５】
図１〜図３に示すように、実施形態１は、携帯端末装置に２枚（３枚以上でもよい）のＳＩＭカード２を収容するＳＩＭカード対応携帯端末装置１Ａである。ＳＩＭカード２は、電話会社および加入者の情報が記憶されており、表面にＳＩＭカード２の電話会社名や型式が表示され、裏面に内部記憶情報を送出用の端子が形成されている（周知のため図示省略）。
【００３６】
実施形態１に係る携帯端末装置１Ａは、図１（ａ）に示すように、内部に通話情報や画像情報等の電話処理機能を実現するＣＰＵ（中央処理ユニット），ＲＯＭ（Read Only Memory），およびＲＡＭ（Radom access Memory）が内蔵され、表面側に操作ボタン類が、また、裏面側にデジタルカメラが設けられた端末装置本体３と、その端末装置本体３に対して一定角度範囲で揺動するようにヒンジ９結合され、本体対向面側に表示用のディスプレイ（液晶表示装置：ＬＣＤ）４ａが設けられた表示部４とを有している。
【００３７】
このＳＩＭカード対応携帯端末装置１Ａは、端末装置本体３の裏面側に、電源用電池（該略矩形の厚板構造を呈している）５を収納する凹所（電源用電池の外形と同様の内周形状を呈している）６ａからなる電池保持部６を設け、その電池保持部６の底面部６ｂに、それぞれのＳＩＭカード２を該底面部６ｂに沿う同一平面内に並べて収容する２つの窪み７を設け、各ＳＩＭカード２を各窪み７に収容した状態で、電池保持部６の凹所６ａに、前記各ＳＩＭカード２を覆って電源用電池５を収納するようにしたものである。
【００３８】
図１〜図２に示すように、電源用電池５は、平面視概略矩形を呈し、一短辺に電極５ａが設けられ、電池保持部６凹所６ａに収納状態でそこの突出端子６ｃに接触して電力を伝達するようになっている。
【００３９】
電池保持部６は電源用電池５を収納状態等で、端末装置本体３の裏面側が着脱自在な蓋部材３ａによって覆われるようになっている。
【００４０】
各窪み７は、ＳＩＭカード２の外周に沿いかつその収容するＳＩＭカードより縦・横・深さ等の寸法が０・５〜１．５ｍｍ程度大きい内周形状に形成されている。
【００４１】
ホルダ部材１０は、窪み７の底部７ａにＳＩＭカード２信号伝達用の電極８を設け、窪み７の一隅に設けたヒンジ９を中心に揺動することによって該窪み７に出入りするホルダ部材１０であって、そのホルダ部材１０の幅方向両側にＳＩＭカード２をその幅方向両端から挟持するガイド構造１１を形成している。
また、ホルダ部材１０は、長さ方向に断面視して横長の異形Ｃ字形状を呈した金属材、樹脂材またはその混合材からなり、幅方向両端にコ字状に折り返して曲げたガイド構造１１を形成している。
【００４２】
このガイド構造１１によってＳＩＭカード２を挟持した状態で前記ホルダ部材１０を窪み７内に入れ、かつ、前記電源用電池５を電池保持部６の凹所６ａ内に収納した際に、前記電池保持部６の底面部６ｂに向かう電源用電池５の対向面によって押圧することによってＳＩＭカード２を前記電極８に接触させるようにしたものである。
このホルダ部材１０や電極８の構造には、特許文献３で記述された構造を採用できる。
【００４３】
次に、上記した実施の形態の作用・効果を説明する。
図２に示すように、実施形態１に係る携帯端末装置において、ユーザは、携帯端末装置１Ａの２つのホルダ部材１０をヒンジ９中心に回転させて起こし、それぞれのホルダ部材１０に２枚のＳＩＭカード２のそれぞれをホルダ部材１０の長さ方向端部から挿入する。各ホルダ部材１０は、このＳＩＭカード２を該ホルダ部材１０の幅方向両側のガイド構造１１によって挟み付けて支持（挟持）する。この場合に、ガイド構造１１の断面コ字形状を呈した間隙１１ａにＳＩＭカード２を挿入して、ホルダ部材１０の厚さ方向に移動を規制しながら挿入を進め、奥側端につきあたった状態でホルダ部材１０を窪み７方向に押し圧して回転させる。
【００４４】
その後、電源用電池５を、電池保持部６の凹所６ａ内にはめ込んで収納し、図示しないロック機構等によって固定する。この固定した電源用電池５によってＳＩＭカード２を底部７ａ方向に押しつけてＳＩＭカード２を電極８に接触させる。
【００４５】
実施形態１に係るＳＩＭカード対応携帯端末装置１Ａによれば、電池保持部６の底面部６ｂに、それぞれのＳＩＭカード２を該底面部６ｂに沿う同一平面内に並べて収容する２以上の窪み７を設け、各ＳＩＭカード２を各窪み７に収容した状態で、電池保持部６の凹所６ａに、前記各ＳＩＭカード２を覆って電源用電池５を収納するようにしたので、各窪み７に２枚以上のＳＩＭカード２を同一平面内に並べて配置して、そのＳＩＭカード２上に電源用電池５を収容できる。
したがって、携帯端末装置１Ａの積極的な薄型化を図ることが実現することができる。
【００４６】
この実施形態１の構造は、現行の携帯電話機等の１枚のみのＳＩＭカード２を実装する携帯端末装置１Ａに採用して２枚以上実装できるようにするのも有効な構造となる。
【００４７】
次に、本発明の実施形態２に係るＳＩＭカード対応携帯端末装置について説明する。
図４は、実施形態２に係る携帯端末装置１Ｂの裏面側のＳＩＭカード２および電源用電池５の装着状態説明図、図５は電池保持部６の凹所６ａの窪み７の詳細な構造の説明図、図６（ａ）は窪み７に設けたガイド構造１１にＳＩＭカード２を挟持させている状態の説明図、図（ｂ）はガイド構造１１よってＳＩＭカード２を挟持して前記電極８に接触させる状態の説明図である。図１〜図３のＳＩＭ対応携帯端末装置の実施形態１と同様部分に同一の符号を付している。
【００４８】
図４〜図６に示すように、実施形態２に係る携帯端末装置１Ｂでは、電池保持部６の凹所６ａの底面部６ｂに、それぞれのＳＩＭカード２を該底面部６ｂに沿う同一平面内に並べて収容する２以上の窪み７を設けており、各窪み７の底部７ａにＳＩＭカード信号伝達用の電極８を設けている。
なお、図５，６の構造の場合に、電池保持部６の底面部６ｂの窪み７の他に、電池保持部６に収納する電源用電池５と同一平面にＳＩＭカード２を収容可能な一つ（それ以上設けることができる）の第２の窪みを設けることができる。仮に電源用電池５の大きさがさほど大きくないものであって、その電源用電池５によっては、平面視で２枚以上のＳＩＭカード２を覆えない場合には、ＳＩＭ収容部である窪みの１以上を電池保持部６の下部ではなく、横（同一平面内）に配置することも可能である。電源用電池５とＳＩＭカード２を並べて電池保持部６の凹所６ａ内に配列して収納する。この場合には、厳密に厚みが増加せずにＳＩＭカードと電池のコンパクトな収納という目的を達成することができる。
【００４９】
また、各窪み７の幅方向両側に、ＳＩＭカード２をその幅方向両端から挟持しかつ窪み７底部７ａ方向に押圧するガイド構造１１を形成する。
【００５０】
各窪み７のガイド構造１１の入り側部を斜面１３にしかつ、ＳＩＭカード２係止用の弁状の弾性片構造１２を形成しており、前記窪み７の斜面１３に沿わせてＳＩＭカード２を前記ガイド構造１１に挿入して、ＳＩＭカード２を窪み７内に入れてガイド構造１１に挟持させ、ガイド構造１１によってＳＩＭカード２を窪み７底部７ａ方向に押圧することによってＳＩＭカード２を前記電極８に接触させるようになっている。
【００５１】
窪み７は、端末装置本体３の裏面方向から概略矩形を呈して、凹所６ａの長さ方向に沿って矩形構造を呈している。ガイド構造１１は、平坦な片状金具が窪み７の上端（凹所６ａの底面部６ｂとほぼ面一）から窪み７幅方向に突出して設けられている。
【００５２】
実施形態２によれば、図４〜図６に示すように、各ＳＩＭカード２を各窪み７の幅方向両側のガイド構造１１に挿入して、そのガイド構造１１によってＳＩＭカード２をその幅方向両端から挟持しかつ窪み７底部７ａ方向に押圧する。
この場合、各窪み７のガイド構造１１の入り側部の斜面１３に沿って、弁状の弾性片構造１２を押し下げながら挿入し挿入後に弾性片構造１２が復帰してＳＩＭカード２を係止するので、窪み７に装着したＳＩＭカード２を弾性片構造１２によって装着状態に確実に固定できる。
【００５３】
また、ガイド構造１１によってＳＩＭカード２を窪み７底部７ａ方向に押圧することによってＳＩＭカード２を前記電極８に接触させるので、ＳＩＭカード２に各実に信号が伝達する。
【００５４】
以上説明した、実施形態１〜２に係るＳＩＭカード対応携帯端末装置１Ａ，１Ｂによれば、ユーザ（使用者）は、複数のＳＩＭカード２を１台の携帯端末装置１Ａ、１Ｂに装着して複数番号を使用できるようになるので、ビジネスとプライベートなど複数の番号毎に携帯端末装置を持ち歩く必要が無くなり、利便性が向上する。
しかも、これらの構造を採用することにより、ＳＩＭカードを複数枚にしたにもかかわらず、電話機の厚みなど、外観を著しく悪化させることなく実現することができる。
【００５５】
ＳＩＭカード２の番号毎に課金等を独立に管理でき、混同することなく管理できる。
【００５６】
番号ポータビリティによりビジネス用電話機等の携帯端末装置に、他の事業者に所属していたプライベートな番号を追加移動できるので、２番号に対して移動機の使用者が同一の場合には、割引制度を適用することにより、他の事業者に属している顧客をビジネス用途の番号を契約している事業者が獲得することも可能となる。
【００５７】
仮に２番号が異なる事業者に所属する番号であっても、使用する携帯端末装置のハードウェアにかかわらずに独立に管理できるので、論理的に２台の電話機であるかのように使用できる。
【００５８】
また、事業者による顧客のへの請求手続きにおいて請求書の複数番号一本化なども可能となるため、通信料金の低価格化の可能性も生じる。
【００５９】
なお、ＳＩＭカード２の挿入構造として、窪み７の一隅に設けたヒンジ９によって該窪み７内に出入りするホルダ部材１０にガイド構造１１を設けてこのガイド構造１１により、ＳＩＭカード２を挟持し、ＳＩＭカード２の挟持状態でホルダ部材１０を窪み７内に入れて、電源用電池５の電池保持部６の凹所６ａ内への収納によってＳＩＭカード２を電極８に接触させることによって接触圧を保ちながらＳＩＭカード２を保持する。
【００６０】
また、ＳＩＭカード２が１枚のみ挿入されている時は、従来の携帯端末装置と同様に１番号の携帯端末装置として動作させることができ。また、２つの番号に対して、別の契約者が契約を結ぶことでき、その場合、携帯端末装置の使用者が同一の場合には、割引制度を適用して顧客獲得促進を行うこともできる。
【００６１】
また、１枚のＳＩＭカード２の番号が会社などの複数の使用者に共通の契約者の場合、一枚のＳＩＭカード２をグループメンバーが外出するとき等に、外出者の所有する移動機に出がけに装着して外出すれば、そのグループで一枚のＳＩＭカード２を共用することができる。その場合、共用する法のＳＩＭカード２には、グループ共通の電話機等を登録することが可能となる。
【００６２】
尚、本発明のＳＩＭカード対応携帯端末装置は、上記した実施の形態等の携帯型電話機に限定されるものではなく、情報端末装置に実施するなど、本発明の要旨を逸脱しない範囲内において種々変更を加え得ることは勿論である。
【図面の簡単な説明】
【００６３】
【図１】本発明のＳＩＭカード対応携帯端末装置を携帯電話機に実施した形態の第１の例である実施形態１の説明図であって、（ａ）は実施形態１に係る携帯端末装置の外観説明図、（ｂ）は携帯端末装置の裏面側のＳＩＭカードおよび電源用電池の装着状態説明図である。
【図２】電池保持部の凹所の窪みに設けたホルダ部材にＳＩＭカードを挟持させる状態の説明図である。
【図３】電池保持部の底面に向かう電源用電池の対向面によって押圧してＳＩＭカードを前記電極に接触させる状態の説明図である。
【図４】本発明の実施形態２に係る携帯端末装置の裏面側のＳＩＭカードおよび電源用電池の装着状態説明図である。
【図５】電池保持部の凹所の窪みの詳細な構造の説明図である。
【図６】（ａ）は窪みに設けたガイド構造にＳＩＭカードを挟持させている状態の説明図、（ｂ）はガイド構造よってＳＩＭカードを挟持して前記電極に接触させる状態の説明図である。
【符号の説明】
【００６４】
１Ａ  カード対応携帯端末装置
１Ｂ  カード対応携帯端末装置
２  ＳＩＭカード
３  端末装置本体
４  表示部
５  電源用電池
６  電池保持部
６ａ  電池保持部の凹所
６ｂ  凹所の底面部
７  窪み
７ａ  凹みの底部
８  電極
９  ヒンジ
１０  ホルダ部材
１１  ガイド構造
１１ａ  ガイド構造の間隙
１２  弾性片構造
１３  斜面
【図１】
2007266693.tif 000003
【図２】
2007266693.tif 000004
【図３】
2007266693.tif 000005
【図４】
2007266693.tif 000006
【図５】
2007266693.tif 000007
【図６】
2007266693.tif 000008